(57)【要約】  【課題】  複数の中継システムの監視情報を１つの中継システムの親局装置が集中管理することができる統合中継システムを提供する。  【解決手段】  無線通信システムにおける基地局と携帯端末の間で中継を行うために、基地局と通信を行う１つの親局装置と、携帯端末と通信を行う少なくとも１つの子局装置とが接続された中継システムに関し、複数の中継システムと、複数の中継システムのうち２つの中継システムの子局装置機能を１つに合わせたハンドオーバー子局装置９１を少なくとも１つ備えた統合中継システムであって、ハンドオーバー子局装置９１は、複数の中継システムのうち中継システム４１の親局装置５１へ、ハンドオーバー子局装置９１と中継システム４２の監視情報を通知する。  【選択図】  図１
2006128980.tif 000002
【特許請求の範囲】
【請求項１】
無線通信システムにおける基地局と携帯端末の間で中継を行うために、前記基地局と通信を行う１つの親局装置と、前記携帯端末と通信を行う少なくとも１つの子局装置とが接続された中継システムに関し、
複数の前記中継システムと、複数の前記中継システムのうち２つの中継システムの子局装置機能を１つに合わせた共通子局装置を少なくとも１つ備えた統合中継システムであって、
前記共通子局装置は、前記複数の中継システムのうち所定の中継システムの親局装置へ、前記共通子局装置と所定の中継システム以外の中継システムの監視情報を通知する
ことを特徴とする統合中継システム。
【発明の詳細な説明】
【技術分野】
【０００１】
本発明は、無線通信システムのトンネル等の電波不感地帯において、基地局と携帯端末の間で中継を行う中継システムを、複数備えた統合中継システムに関する。
【背景技術】
【０００２】
従来の無線通信システムについて説明する。図４は、従来の無線通信システムの構成の一例を示すブロック図である。図４に示すように、無線通信システムは、基地局（ＢＴＳ）１と、監視局（ＭＯＮ）４と、中継システム７から構成される。中継システム７は、親局装置（ＭＵ）２と少なくとも１つの子局装置（ＳＵ）６から構成される。基地局１と親局装置２は有線または無線で接続される。また、親局装置２と監視局４は電話回線３を介して接続される。親局装置２には複数の子局装置６を接続することができ、親局装置２と子局装置６は光信号ケーブル５で接続される。中継システム７は、無線通信システムの電波不感地帯において基地局１と図示しない携帯端末の間の中継を行うために設置されるものである。
【０００３】
図５は、従来の中継システムにおける親局装置と子局装置の構成の一例を示すブロック図である。図５に示すように、親局装置２は、親局下りＲＦ信号増幅部（ＤＬＡＭＰ−Ｘ）１１と、親局下り電気−光変換部（ＥＯ−Ｘ）１２と、親局上り光−電気変換部（ＯＥ−Ｘ）１３と、親局上りＲＦ信号増幅部（ＵＬＡＭＰ−Ｘ）１４と、親局監視制御部（ＣＯＮＴ−Ｘ）１５から構成される。子局装置６は、子局下り光−電気変換部（ＯＥ−Ｙ）２１と、子局下りＲＦ信号増幅部（ＤＬＡＭＰ−Ｙ）２２と、デュープレクサ（ＤＵＰ−Ｙ）２３と、アンテナ２４と、子局上りＲＦ信号増幅部（ＵＬＡＭＰ−Ｙ）２５と、子局上り電気−光変換部（ＥＯ−Ｙ）２６と、子局監視制御部（ＣＯＮＴ−Ｙ）２７から構成される。
【０００４】
まず、従来の中継システムにおける下り回線の動作について説明する。下り回線のＲＦ信号は基地局１から親局装置２へ送信される。親局装置２に入力された下り回線のＲＦ信号は、親局下りＲＦ信号増幅部１１で増幅され、親局下り電気−光変換部１２で電気−光変換されて、光信号ケーブル５で子局装置６へ出力される。子局装置６へ入力された下り回線のＲＦ信号は、子局下り光−電気変換部２１で光−電気変換され、子局下りＲＦ信号増幅部２２で増幅されて、デュープレクサ２３を介してアンテナ２４から無線ＲＦ信号として送信され、携帯端末で受信される。
【０００５】
次に、従来の中継システムにおける上り回線の動作について説明する。上り回線の情報は携帯端末から無線ＲＦ信号として送信され、子局装置６のアンテナ２４で受信されたＲＦ信号は、デュープレクサ２３を介して子局上りＲＦ信号増幅部２５で増幅され、子局上り電気−光変換部２６で電気−光変換されて、光信号ケーブル５で親局装置２へ出力される。親局装置２に入力された上り回線のＲＦ信号は、親局上り光−電気変換部１３で光−電気変換され、親局上りＲＦ信号増幅部１４で増幅されて、基地局１へ送信される。
【０００６】
また、親局装置２において、親局監視制御部１５は親局装置２の監視と制御を行う。また、子局装置６において、子局監視制御部２７は子局装置６の監視と制御を行う。さらに親局監視制御部１５と子局監視制御部２７の間で、監視情報と制御情報のやりとりが行われる。監視情報と制御情報は、ＲＦ信号とは別の周波数帯を使用してＲＦ信号と重畳させ、光信号ケーブル５で送信される。さらに、親局監視制御部１５は、親局装置２と子局装置６の監視情報を監視局４へ送信する。
【０００７】
このような中継システムの一例として特許文献１が提案されている。特許文献１の中継システムによれば、マスター親局装置には少なくとも１つのスレーブ親局装置が接続され、各親局装置には子局装置が接続される。スレーブ親局装置とその配下の子局装置の監視情報はマスター親局装置へ通知される。マスター親局装置は全ての親局装置と子局装置の監視情報を監視局へ通知する。
【特許文献１】特開２００２−２０９０１４号公報  （第２−４頁、第３図）
【０００８】
ここで、中継システムが、トンネルのように長距離にわたって電波不感地帯が続くエリアにサービスを提供する場合について説明する。トンネルの一方の入口から光信号ケーブルを引き込んで子局装置を接続した中継システムを設置するだけでは、トンネル内の全てのエリアにおいてサービスを提供することができないため、もう一方の入口においても中継システムを設置することがある。
【０００９】
図６は、従来の複数設置された中継システムの構成の一例を示すブロック図である。図６において、図４と同一符号は図４に示された対象と同一又は相当物を示しており、ここでの説明を省略する。ここでは説明のため、２つの中継システムのうち、一方の中継システムを中継システム７Ａとし、もう一方を中継システム７Ｂとする。また、中継システム７Ａにおける親局装置を親局装置２Ａ、中継システム７Ｂにおける親局装置を親局装置２Ｂとする。
【００１０】
この場合、トンネルの中間地点付近で２つの中継システムのサービスエリアが重なる部分において、一方の中継システム７Ａからもう一方の中継システム７Ｂへのハンドオーバーが発生する。このハンドオーバーが確実に行われるように、中継システム７Ａの親局装置に接続された子局装置と、中継システム７Ｂの親局装置に接続された子局装置の機能を１つにまとめたハンドオーバー子局装置（ＨＳＵ）８を設置することがある。
【００１１】
図７は、従来のハンドオーバー子局装置の構成の一例を示すブロック図である。図７に示すように、ハンドオーバー子局装置８とは、中継システム７Ａの子局装置機能と、中継システム７Ｂの子局装置機能を１つの筐体に納めたものである。
【００１２】
ハンドオーバー子局装置８は、まず中継システム７Ａの子局装置機能として、子局下り光−電気変換部（ＯＥ−Ａ）２１Ａと、子局下りＲＦ信号増幅部（ＤＬＡＭＰ−Ａ）２２Ａと、デュープレクサ（ＤＵＰ−Ａ）２３Ａと、アンテナ２４Ａと、子局上りＲＦ信号増幅部（ＵＬＡＭＰ−Ａ）２５Ａと、子局上り電気−光変換部（ＥＯ−Ａ）２６Ａと、子局監視制御部（ＣＯＮＴ−Ａ）２７Ａを備える。またハンドオーバー子局装置８は、同様に中継システム７Ｂの子局装置機能として、子局下り光−電気変換部（ＯＥ−Ｂ）２１Ｂと、子局下りＲＦ信号増幅部（ＤＬＡＭＰ−Ｂ）２２Ｂと、デュープレクサ（ＤＵＰ−Ｂ）２３Ｂと、アンテナ２４Ｂと、子局上りＲＦ信号増幅部（ＵＬＡＭＰ−Ｂ）２５Ｂと、子局上り電気−光変換部（ＥＯ−Ｂ）２６Ｂと、子局監視制御部（ＣＯＮＴ−Ｂ）２７Ｂを備える。
【００１３】
子局下り光−電気変換部２１Ａと子局上り電気−光変換部２６Ａは、光信号ケーブル５を介して中継システム７Ａの親局装置２Ａと接続されている。また、子局下り光−電気変換部２１Ｂと子局上り電気−光変換部２６Ｂは、光信号ケーブル５を介して中継システム７Ｂの親局装置２Ｂと接続されている。中継システム７Ａと中継システム７Ｂの子局装置機能は、上述した子局装置６と同様の動作を行うため、ここでの説明を省略する。
【発明の開示】
【発明が解決しようとする課題】
【００１４】
しかしながら、上述したように複数の中継システムを設置した場合、中継システム７Ａの親局装置２Ａと中継システム７Ｂの親局装置２Ｂは、自局と配下の子局装置の監視情報を、電話回線３を介して監視局４へそれぞれ通知しなければならず、通信コストの増大につながっていた。また、１つの親局装置だけが監視局と通信を行おうとすると、特許文献１のように複数の親局装置を全て接続する構成としなければならず、ハードウェアコストの増大につながっていた。
【００１５】
本発明は上述した問題点を解決するためになされたものであり、複数の中継システムの監視情報を１つの中継システムの親局装置が集中管理することができる統合中継システムを提供することを目的とする。
【課題を解決するための手段】
【００１６】
上述した課題を解決するため、本発明に係る統合中継システムは、無線通信システムにおける基地局と携帯端末の間で中継を行うために、前記基地局と通信を行う１つの親局装置と、前記携帯端末と通信を行う少なくとも１つの子局装置とが接続された中継システムに関し、複数の前記中継システムと、複数の前記中継システムのうち２つの中継システムの子局装置機能を１つに合わせた共通子局装置を少なくとも１つ備えた統合中継システムであって、前記共通子局装置は、前記複数の中継システムのうち所定の中継システムの親局装置へ、前記共通子局装置と所定の中継システム以外の中継システムの監視情報を通知することを特徴とするものである。なお、本実施の形態における共通子局装置とは、ハンドオーバー子局装置９１，９２のことである。
【発明の効果】
【００１７】
本発明によれば、１つの中継システムの親局装置が、複数の中継システムにおける全ての親局装置と子局装置の監視情報を監視局へ通知することにより、複数の中継システムにおいてそれぞれ親局装置が監視局へ監視情報を通知する構成と比較して、通信コストを大幅に低減することができる。また、共通子局装置を介して他の中継システムの監視情報を１つの中継システムの親局装置へ通知することにより、全ての親局装置を接続する構成と比較して、ハードウェアコストを大幅に低減することができる。
【発明を実施するための最良の形態】
【００１８】
以下、本発明の実施例について図面を参照しつつ説明する。図１は、本実施の形態に係る無線通信システムの構成の一例を示すブロック図である。図１において、図６と同一符号は図６に示された対象と同一又は相当物を示しており、ここでの説明を省略する。本実施の形態では、中継システム７Ａの代わりに中継システム４１、中継システム７Ｂの代わりに中継システム４２、親局装置２Ａの代わりに親局装置５１、親局装置２Ｂの代わりに親局装置５２、ハンドオーバー子局装置８の代わりにハンドオーバー子局装置９１を備える。本実施の形態に係る統合中継システムは、中継システム４１，４２とハンドオーバー子局装置９１から構成される。
【００１９】
図２は、本実施の形態に係る統合中継システムにおけるハンドオーバー子局装置の構成の一例を示すブロック図である。図２において、図７と同一符号は図７に示された対象と同一又は相当物を示しており、ここでの説明を省略する。２つの中継システム４１，４２における親局装置５１，５２とその配下にある子局装置は、従来通り監視情報と制御情報のやりとりを行う。
【００２０】
本実施の形態に係るハンドオーバー子局装置９１は、従来の子局監視制御部２７Ａと子局監視制御部２７Ｂの代わりに、子局監視制御部（ＣＯＮＴ−Ｃ）３０を備える。子局監視制御部３０は、中継システム４１の子局装置機能である子局下り光−電気変換部２１Ａ、子局下りＲＦ信号増幅部２２Ａ、子局上りＲＦ信号増幅部２５Ａ、子局上り電気−光変換部２６Ａに接続される。さらに子局監視制御部３０は、中継システム４２の子局装置機能である子局下り光−電気変換部２１Ｂ、子局下りＲＦ信号増幅部２２Ｂ、子局上りＲＦ信号増幅部２５Ｂ、子局上り電気−光変換部２６Ｂに接続される。この構成により子局監視制御部３０は、中継システム４１の子局装置機能と中継システム４２の子局装置機能の両方の監視と制御を行う。
【００２１】
子局監視制御部３０が、中継システム４１の子局装置機能と中継システム４２の子局装置機能の両方の監視情報を、中継システム４１の親局装置５１へ通知することにより、中継システム４１の親局装置５１は、ハンドオーバー子局装置９１内の全ての子局装置機能の監視情報を得ることができる。
【００２２】
さらに子局監視制御部３０は、中継システム４２の親局装置５２とその配下にある通常の子局装置６の監視情報も、中継システム４１の親局装置５１へ通知する。従って、中継システム４１の親局装置５１は、中継システム４１と中継システム４２における全ての親局装置と子局装置の監視情報を得ることができるとともに、監視局４へ送信することができる。また、中継システム４２の親局装置５２は、監視局４への通信を行う必要がない。
【００２３】
なお、従来のハンドオーバー子局装置の構成と比較して、本実施の形態に係るハンドオーバー子局装置９１で一体化された部分は、子局監視制御部３０のみであるが、アンテナ２４Ａとアンテナ２４Ｂ、デュープレクサ２３Ａとデュープレクサ２３Ｂなど、可能なものを一体化した構成としても良いことは言うまでもない。また、親局装置と子局装置の間の通信は光信号ケーブルを用いて行われるとしたが、他の通信媒体を用いても良い。
【００２４】
また、本実施の形態では、２つの中継システム４１，４２を統合した統合中継システムについて述べたが、３つ以上の中継システムを統合した統合中継システムとし、ハンドオーバー子局装置は複数の中継システムの子局装置の機能を合わせたものとしても良い。図３は、本実施の形態に係る無線通信システムの構成の他の一例を示すブロック図である。図３の例において、統合中継システムは、３つの中継システム４１，４２，４３とハンドオーバー子局装置９１，９２から構成される。中継システム４３は中継システム４１，４２と同様の構成を備える。また、ハンドオーバー子局装置９２はハンドオーバー子局装置９１と同様の構成であり、中継システム４２の子局装置機能と中継システム４３の子局装置機能を備える。
【００２５】
中継システム４３の親局装置５３の監視情報は、ハンドオーバー子局装置９２を介して中継システム４２の親局装置５２に通知される。さらに、中継システム４２の親局装置５２と中継システム４３の親局装置５３の監視情報は、ハンドオーバー子局装置９１を介して中継システム４１の親局装置５１に通知される。従って、中継システム４１の親局装置５１は、全ての中継システム４１，４２，４３の監視情報を集中管理し、最終的に親局装置５１により監視局４へ送信される。図３の例においては、中継システム４１の親局装置５１が全ての監視情報を集中管理し、監視局４へ送信する構成としたが、中継システム４２の親局装置５２または中継システム４３の親局装置５３が全ての監視情報を集中管理し、監視局４へ送信する構成としても良い。
【図面の簡単な説明】
【００２６】
【図１】本実施の形態に係る無線通信システムの構成の一例を示すブロック図である。
【図２】本実施の形態に係る統合中継システムにおけるハンドオーバー子局装置の構成の一例を示すブロック図である。
【図３】本実施の形態に係る無線通信システムの構成の他の一例を示すブロック図である。
【図４】従来の無線通信システムの構成の一例を示すブロック図である。
【図５】親局装置と子局装置の構成の一例を示すブロック図である。
【図６】従来の複数設置された中継システムの構成の一例を示すブロック図である。
【図７】従来のハンドオーバー子局装置の構成の一例を示すブロック図である。
【符号の説明】
【００２７】
１  基地局、３  電話回線、４  監視局、４１，４２，４３  中継システム、５１，５２，５３  親局装置、５  光信号ケーブル、６  子局装置、９１，９２  ハンドオーバー子局装置、２１Ａ，２１Ｂ  子局下り光−電気変換部、２２Ａ，２２Ｂ  子局下りＲＦ信号増幅部、２３Ａ，２３Ｂ  デュープレクサ、２４Ａ，２４Ｂ  アンテナ、２５Ａ，２５Ｂ  子局上りＲＦ信号増幅部、２６Ａ，２６Ｂ  子局上り電気−光変換部、３０  子局監視制御部。
【図１】
2006128980.tif 000003
【図２】
2006128980.tif 000004
【図３】
2006128980.tif 000005
【図４】
2006128980.tif 000006
【図５】
2006128980.tif 000007
【図６】
2006128980.tif 000008
【図７】
2006128980.tif 000009